(57)【要約】【課題】予めキャリアと契約しているユーザに対して、このユーザが現在使用している固定電話機や携帯電話機をそのまま用いてユーザに意識させることなく、固定電話機や携帯電話機の通信網提供者であるキャリア側で通話内容を録音して、録音された通話内容をユーザが聴取できる。【解決手段】通話サービスを提供するキャリアと予め契約をしているユーザの通信端末１０，３０同士の通話を録音し、通話データとして当該キャリアが管理するキャリアサーバ装置２５に保存する。ユーザはこのキャリアサーバ装置２５にアクセスすることにより、通話データを受信する。【選択図】　　図１
2004080263.tif 000002
【特許請求の範囲】
【請求項１】
複数の通信端末と、これらの通信端末間を通信回線により接続して通話を可能にする通信ネットワークと、この通信ネットワークに設けられるサーバ装置とを具備した通信端末通信ネットワークシステムであって、
前記サーバ装置は、
前記複数の通信端末間で通話期間中に前記通信回線を介して伝送される通話信号を記憶手段に記録する通話録音手段と、
前記通信端末からの再生要求に応じて、前記記憶手段から該当する通話信号を選択的に読み出し、この読み出された通話信号を前記再生要求元の通信端末へ前記通信ネットワークを介して送信する通話再生手段とを備え、
前記通信通信端末は、
前記サーバ装置に対し通話信号の再生要求を送信する再生要求手段と、
前記再生要求に応じて前記サーバ装置が送信する通話信号を受信し再生する受信再生手段とを備えたことを特徴とする通話録音機能を備えた通信ネットワークシステム。
【請求項２】
前記通信端末の再生要求手段は、ユーザによる特定の電話番号の入力に応じて発信処理を行って前記サーバ装置を呼び出し、かつユーザによる再生対象の指定操作に応じて前記サーバ装置に対しトーン信号を送信する機能を有し、
前記サーバ装置の録音再生手段は、前記通信端末からの呼び出しに応答した後、当該通信端末から再生対象を指定するトーン信号が到来した場合にこのトーン信号により指定される通話信号を前記記憶手段から選択的に読み出し、この読み出された通話信号を前記再生要求元の通信端末へ送信する機能を有することを特徴とする請求項１記載の通話録音機能を備えた通信ネットワークシステム。
【請求項３】
前記サーバ装置の録音再生手段は、前記通信端末からの呼び出しに応答した後、当該通信端末へ再生対象の指定を促す音声ガイダンスメッセージを送信することを特徴とする請求項１記載の通話録音機能を備えた通信ネットワークシステム。
【請求項４】
前記通信端末の再生要求手段は、ユーザにより入力された特定のアドレス及びパスワードをもとに、前記通信ネットワークとは異なるコンピュータネットワークを介して前記サーバ装置に対しアクセスし、かつユーザによる再生対象の指定操作に応じてサーバ装置へ再生指定データを送信する機能を有し、
前記サーバ装置の録音再生手段は、前記通信端末からのアクセスに応答した後、通信端末から再生指定データが到来した場合に、この再生指定データにより指定される通話信号を前記記憶手段から選択的に読み出し、この読み出した通話信号を圧縮して前記通信端末へコンピュータネットワークを介して伝送する機能を有し、
前記通信端末の受信再生手段は、前記サーバ装置からダウンロードされた圧縮データを解凍して通話信号を再生する機能を有することを特徴とする請求項１記載の通話録音機能を備えた通信ネットワークシステム。
【請求項５】
前記サーバ装置の録音再生手段は、前記記憶手段から選択的に読み出した通話信号を圧縮及び暗号化処理し、この処理により生成された電子ファイルを電子メールにより前記再生要求元の通信端末へ伝送することを特徴とする請求項４記載の通話録音機能を備えた通信ネットワークシステム。
【請求項６】
前記サーバ装置の録音再生手段は、前記記憶手段から選択的に読み出した通話信号をアーカイブとして圧縮及び暗号化処理し、この処理により生成された電子ファイルを所定のファイル転送プロトコルに従い前記再生要求元の通信端末へ伝送することを特徴とする請求項４記載の通話録音機能を備えた通信ネットワークシステム。
【請求項７】
前記通信端末の再生要求手段は、再生対象の通話信号を通話単位で指定すると共にこの指定した通話信号中の所望期間を指定する再生要求を送信する機能を有し、
前記サーバ装置の録音再生手段は、前記通信端末からの再生要求に応じて、通話信号を通話単位で選択すると共にこの選択された通話信号中の所望期間を選択的に読み出すことを特徴とする請求項１記載の通話録音機能を備えた通信ネットワークシステム。
【請求項８】
複数の通信端末間を通信回線により接続して通話を可能にする通信ネットワークに設けられるサーバ装置であって、
前記複数の通信端末間で通話期間中に前記通信回線を介して伝送される通話信号を記憶手段に記録する通話録音手段と、
前記通信端末からの再生要求に応じて、前記記憶手段から該当する通話信号を選択的に読み出し、この読み出された通話信号を前記再生要求元の通信端末へ前記通信ネットワークを介して送信する通話再生手段とを具備したこと特徴とするサーバ装置。
【請求項９】
前記録音再生手段は、前記通信端末から前記通信ネットワークの通信回線を介して再生対象を指定するトーン信号が到来した場合に、このトーン信号により指定される通話信号を前記記憶手段から選択的に読み出し、この読み出された通話信号を前記通信回線を介して前記再生要求元の通信端末へ送信することを特徴とする請求項８記載のサーバ装置。
【請求項１０】
前記録音再生手段は、前記通信端末から前記通信ネットワークとは異なるコンピュータネットワークを介して再生指定データが到来した場合に、この再生指定データにより指定される通話信号を前記記憶手段から選択的に読み出して電子ファイルに圧縮し、この電子ファイルを前記再生要求元の通信端末へ前記コンピュータネットワークを介して伝送することを特徴とする請求項８記載のサーバ装置。
【請求項１１】
複数の通信端末間を通信回線により接続して通話を可能にする通信ネットワークに設けられるサーバ装置であって、
前記複数の通信端末間で通話期間中に前記通信回線を介して伝送される通話信号を記憶手段に記録する通話録音手段と、
前記通信端末からの再生要求に応じて、前記記憶手段から該当する通話信号を選択的に読み出し、この読み出された通話信号を可搬性を有する記録媒体に記録する記録手段とを具備したことを特徴とするサーバ装置。
【請求項１２】
前記記録手段は、前記通信端末から前記通信ネットワークの通信回線を介して再生対象を指定するためのトーン信号が到来した場合に、このトーン信号により指定される通話信号を前記記憶手段から選択的に読み出し、この読み出された通話信号を圧縮して可搬性を有する記録媒体に記録することを特徴とする請求項１１記載のサーバ装置。
【請求項１３】
前記記録手段は、前記通信端末から前記通信ネットワークとは異なるコンピュータネットワークを介して再生指定データが到来した場合に、この再生指定データにより指定される通話信号を前記記憶手段から選択的に読み出し、この読み出した通話信号を圧縮した上で可搬性を有する記録媒体に記録することを特徴とする請求項１１記載のサーバ装置。
【発明の詳細な説明】
【０００１】
【発明の属する技術分野】
この発明は、例えば通信網を介して通信端末同士が音声の授受を行う技術に係り、特に予め契約をした通信端末同士の通話の音声を通信網の提供者側で契約に基づき録音する通話録音機能を備えた通信ネットワークシステムとそのサーバ装置に関する。
【０００２】
【従来の技術】
従来、通信端末として例えば固定電話機や携帯電話機を用いて通話を行う際に、これらの電話機のユーザが通話内容を録音するためには、各電話機に内蔵されている録音機能を使用するか、録音機能がある装置を各電話機に接続して通話内容を録音する。
【０００３】
また携帯電話機の場合には、携帯電話機に電波が届かないときや携帯電話機の電源が切れているとき等に、この携帯電話機に電話を掛けた相手の伝言などを携帯電話機を管理するサーバ等に録音するサービス（以下、留守録サービスと呼称する）がある。
【０００４】
【発明が解決しようとする課題】
ところが、このような従来の方法の内、固定電話機や携帯電話機に内蔵されている録音機能を使用する方法では、電話機本体に録音機能がないものに関しては通話を録音することができない。また通話録音できるものに関しても各電話機の録音容量に限りがあり、常に通話の内容を録音して置くことはできない。また、ユーザ個人で録音を行うために、通話の内容が実際に通話された内容なのか、ユーザが故意に手を加えた内容なのかの信頼性を確保することはできない。さらに、録音装置を各電話機に接続して通話内容を録音する方式では、上述した通話の内容の信頼性の問題に加え、随時携帯しておくには不便であるという問題がある。さらに、常に通話の内容を録音しておくには、録音装置のバッテリの持続時間の問題等があり容易ではない。また留守録サービスでは、ユーザの固定電話機や携帯電話機に電話を掛けてきた相手の音声を録音するが、通話中の会話は録音されない。
【０００５】
この発明は上記事情に着目してなされたもので、その目的とするところは、予めキャリアと契約しているユーザに対して、このユーザが現在使用している固定電話機や携帯電話機をそのまま用いてユーザに意識させることなく、固定電話機や携帯電話機の通信網提供者であるキャリア側で通話内容を録音して、録音された通話内容をユーザが聴取できる通話録音機能を備えた通信ネットワークシステムとそのサーバ装置を提供することにある。
【０００６】
【課題を解決するための手段】
上記目的を達成するためにこの発明は、複数の通信端末と、これらの通信端末間を通信回線により接続して通話を可能にする通信ネットワークと、この通信ネットワークに設けられるサーバ装置とを具備した通信端末通信ネットワークシステムであって、前記サーバ装置は、前記複数の通信端末間で通話期間中に前記通信回線を介して伝送される通話信号を記憶手段に記録する通話録音手段と、前記通信端末からの再生要求に応じて、前記記憶手段から該当する通話信号を選択的に読み出し、この読み出された通話信号を前記再生要求元の通信端末へ前記通信ネットワークを介して送信する通話再生手段とを備え、前記通信通信端末は、前記サーバ装置に対し通話信号の再生要求を送信する再生要求手段と、前記再生要求に応じて前記サーバ装置が送信する通話信号を受信し再生する受信再生手段とを備えたことを特徴とする。
【０００７】
したがってこの発明によれば、複数の通信端末間での通話期間中にこれらの端末間同士の通話内容を録音し、前記通信端末から読み出し可能な状態で保存する。従って、通信端末のユーザは通話後に所望の通話内容を聴取することができる。
【０００８】
またこの発明は、通信端末の再生要求手段は、ユーザによる特定の電話番号の入力に応じて発信処理を行って前記サーバ装置を呼び出し、かつユーザによる再生対象の指定操作に応じて前記サーバ装置に対しトーン信号を送信する機能を有し、サーバ装置の録音再生手段は、前記通信端末からの呼び出しに応答した後、当該通信端末から再生対象を指定するトーン信号が到来した場合にこのトーン信号により指定される通話信号を記憶手段から選択的に読み出し、この読み出された通話信号を再生要求元の通信端末へ送信する機能を有することを特徴とする。
【０００９】
したがってこの発明によれば、保存された通話内容を聴取するときに、トーン信号を用いる。従って、トーン信号を発信することができる通信端末から保存された通話内容を聴取することができる。
【００１０】
またこの発明は、前記サーバ装置の録音再生手段は、前記通信端末からの呼び出しに応答した後、当該通信端末へ再生対象の指定を促す音声ガイダンスメッセージを送信することを特徴とする。従って、保存された通話内容の読み出し方法を知らない場合でも、音声ガイダンスに従って操作することにより録音された通話内容を聴取できる。
【００１１】
またこの発明は、通信端末の再生要求手段は、ユーザにより入力された特定のアドレス及びパスワードをもとに、通信ネットワークとは異なるコンピュータネットワークを介してサーバ装置に対しアクセスし、かつユーザによる再生対象の指定操作に応じてサーバ装置へ再生指定データを送信する機能を有する。そしてサーバ装置の録音再生手段は、前記通信端末からのアクセスに応答した後、通信端末から再生指定データが到来した場合に、この再生指定データにより指定される通話信号を前記記憶手段から選択的に読み出し、この読み出した通話信号を圧縮して前記通信端末へコンピュータネットワークを介して伝送する機能を有し、前記通信端末の受信再生手段は、前記サーバ装置からダウンロードされた圧縮データを解凍して通話信号を再生する機能を有することを特徴とする。
【００１２】
したがってこの発明によれば、通信端末間の通話に使用された通信ネットワークとは異なる別のネットワーク（インターネット）を介してサーバ装置にアクセスし、再生要求を送信する。この再生要求に応じた再生指定データを前記別のネットワークを介してサーバ装置から通信端末に送信し、受信した通信端末は、前記再生指定データを再生する。従って、録音された通話データをインターネットを介して再生要求を送信し、インターネットを介して通話データを受信することができる。
【００１３】
またこの発明は、サーバ装置の録音再生手段は、記憶手段から選択的に読み出した通話信号を圧縮及び暗号化処理し、この処理により生成された電子ファイルまたはアーカイブを電子メールにより再生要求元の通信端末へ伝送することを特徴とする。
【００１４】
したがってこの発明によれば、サーバ装置に保存された通話データを圧縮及び暗号化した電子ファイルを電子メールに添付して再生要求元の通信端末へ伝送する。従って、電子メールを受信できる環境であれば通話データを受信することができる。
【００１５】
またこの発明は、通信端末の再生要求手段は、再生対象の通話信号を通話単位で指定すると共にこの指定した通話信号中の所望期間を指定する再生要求を送信する機能を有し、サーバ装置の録音再生手段は、前記通信端末からの再生要求に応じて、通話信号を通話単位で選択すると共にこの選択された通話信号中の所望期間を選択的に読み出すことを特徴とする。
【００１６】
したがってこの発明によれば、サーバ装置に保存された通話内容を通話内容中の所望の期間を指定してユーザが読み出すことができる。従って、１通話の中の必要な箇所だけを聞くことができ、読み出す時間を短縮することができる。
【００１７】
【発明の実施の形態】
（第１の実施形態）
図１は、この発明の第１の実施形態に係わる通話録音機能を備えた通信システムの要部構成を示す機能ブロック図である。当該システムは通信端末が３つ以上存在していてもよく、第１及び第２の実施形態では、理解を容易にするために通信端末が２つ存在する場合について説明する。
【００１８】
この発明の第１の実施形態に係わる通話録音機能を備えた通信システムは、第１の通信端末１０と、第２の通信端末３０と、これらの通信端末１０，３０間を交換接続して通話を可能にする通信網２０とを備えている。そして、通信網２０にはキャリアサーバ装置２５が設けられている。
【００１９】
上記第１の通信端末１０、３０は、上記通信網２０を運用する通信事業者（キャリア）との間で、代行通話録音の契約を行っているユーザが使用する固定電話端末や携帯電話端末である。またキャリアサーバ装置２５は、上記通信網２０を運用するキャリアが管理するサーバ装置である。
【００２０】
次に、キャリアサーバ装置２５について説明する。図２は、第１の実施形態に係るキャリアサーバ装置２５の要部構成を示す機能ブロック図である。キャリアサーバ装置２５は、制御機能２５ａと、通信網２０の交換機との間で通話信号を送受信する信号送受信機能２５ｂと、通話信号をディジタル信号に変換して通話データとして記憶媒体に記憶する記憶機能２５ｃとを備えている。なお、記憶媒体としてはＨＤＤ（ハードディスク）等の大容量の記憶装置が用いられる。
【００２１】
制御機能２５ａは、通話録音契約者が使用する特定の通信回線を介して伝送される通話信号を通信網２０の交換機から受信して上記記憶機能２５ｃに記録する機能と、通信端末１０，３０からＤＴＭＦ（Ｄｕａｌ　Ｔｏｎｅ　Ｍｕｌｔｉ　Ｆｒｅｑｕｅｎｃｙ）信号（以後トーン信号と呼称する）による再生要求が送られた場合に、この再生要求に応じて該当する通話信号を上記記憶機能２５ｃから選択的に読み出し、この読み出された通話信号を要求元の通話端末へ送信する機能とを有している。
【００２２】
次に、以上のように構成されたシステム及びキャリアサーバ装置２５の動作を説明する。図３は、キャリアサーバ装置２５の処理の手順を示したフローチャートである。
【００２３】
まず、第１の通信端末１０から第２の通信端末３０に通話の発信要求を行う（ステップ１）。第１の通信端末１０からの発信要求を受けた通信網２０の交換機は、第２の通信端末３０に通話の接続を行うことで、第１の通信端末１０から第２の通信端末３０に着信する（ステップ２）。
【００２４】
第１の通信端末１０と第２の通信端末３０との通話開始に伴い、キャリアサーバ装置２５は、前記交換機からの通話開始信号を受け、第１の通信端末１０と第２の通信端末３０との通話内容の録音を開始する（ステップ３）。そして第１の通信端末１０と第２の通信端末３０との通話が終了すると、前記交換機からの通話終了信号を受け、録音を終了する。そして録音された通話内容を通話データとして圧縮、暗号化してキャリアサーバ装置２５の記憶機能２５ｃに保存する（ステップ４）。
【００２５】
そして、保存された通話データを予めキャリアと代行録音の契約をしているユーザが聴取するときには、トーン信号の発信できる通信端末から通信網２０として例えば電話回線を通じてキャリアサーバ装置２５にアクセスする（キャリア側から指定された電話番号をダイヤルする）。そしてキャリアサーバ装置２５の音声ガイダンス等の指示に従ってトーン信号をキャリアサーバ装置２５に送信することによって、保存されている通話データの内、所望の通話データを聴取することができる（ステップ５）。
【００２６】
以上のような構成とすることで、電話機本体に録音機能がない電話機や通話録音の容量が限られている電話機でも、キャリア側で全通話または一部の通話を録音することにより、キャリアサーバ装置２５と契約しているユーザは、保存されている任意の通話データを聴取することができる。またユーザ個人で通話内容を録音する場合に比べて、キャリア側で代行録音することにより、録音内容の信頼性を高めることができる。
【００２７】
（第２の実施形態）
この発明の第２の実施形態は、保存した通話データをインターネットを経由してアクセスできるようにしたものである。
【００２８】
図４は、この発明の第２の実施形態に係る通話録音機能を備えた通信システムの要部構成を示す機能ブロック図である。なお、同図において前記図１と同一部分には同一符号を付して詳しい説明は省略する。
【００２９】
当該システムは、第１の通信端末１０と、第２の通信端末３０と、通信網２０と、インターネット４０とを備えている。そして、通信網２０にはキャリアサーバ装置２５が設けられている。
【００３０】
また第１の通信端末１０と、第２の通信端末３０と、キャリアサーバ装置２５とは、それぞれインターネット４０に接続することが可能である。
【００３１】
次にキャリアサーバ装置２５について説明する。図５は第２の実施形態に係るキャリアサーバ装置２５の要部構成を示す機能ブロック図である。なお、同図において前記図２と同一部分には同一符号を付して詳しい説明は省略する。
【００３２】
キャリアサーバ装置２５は、制御機能２５ａと、信号送受信機能２５ｂと、記憶機能２５ｃと、インターネット接続機能２５ｄとを備えている。インターネット接続機能２５ｄは、キャリアサーバ装置２５をインターネット４０に接続するための機能であり、記憶機能２５ｃに保存されている通話データ等をインターネット４０を介して契約ユーザからの閲覧を可能にする。
【００３３】
次に、以上のように構成されたシステム及びキャリアサーバ装置２５の動作を説明する。図６は、キャリアサーバ装置２５の処理の手順を示したフローチャートである。なお、同図において前記図３と同一部分には同一符号を付して詳しい説明は省略する。
【００３４】
まず、ステップ４までは第１の実施形態と同様の処理を行う。続いてキャリアサーバ装置２５に圧縮、暗号化されて保存された通話データは、インターネット接続機能２５ｄによってインターネット４０を介して予め契約したユーザが閲覧できるようになっている。
【００３５】
第１の通信端末１０または第２の通信端末３０のユーザは、インターネット４０を介し、例えばブラウザを用いてキャリアサーバ装置２５のウエブサイトにアクセスを行う（ステップ１０）。このときには、例えばキャリア側から予め指定されている識別番号やパスワードを用いる。そして、キャリアサーバ装置２５に保存された通話データの一覧のリストが例えば通話単位でブラウザ上に表示される。ユーザは必要なデータを前記ブラウザ上で指定し、所望の受信形式として例えば暗号化された圧縮ファイルを指定する（ステップ１１）。キャリアサーバ装置２５は、ユーザによって指定された形式に通話データを変換し、電子ファイルまたはアーカイブとして圧縮・暗号化した後、所定のファイル転送プロトコルに従い、リクエストのあったユーザの通信端末に変換後の通話データを例えば電子メールに添付する等の方法を用いて送信する（ステップ１２）。また前記リクエストは、１通話単位でなく１通話中の所望期間であってもよい。そして通話データを受信した前記ユーザの通信端末は、必要に応じて圧縮されている通話データを解凍し、自身が備えるフラッシュメモリ等の記憶装置に前記通話データを保存する。
【００３６】
以上のような構成とすることで、予め契約しているユーザは、キャリア側で録音された通話データをインターネットを介して任意のファイル形式で入手することができる。
【００３７】
（その他の実施形態）
また上記実施形態では、キャリアサーバ装置２５に保存された通話データを参照するときには、キャリアサーバ装置２５の指示に従ってトーン信号を送信して、保存されている通話データを聴取することができるが、通話開始からの任意の時間をトーン信号で指定することにより、任意の時間からの通話データを聴取することができる。さらにユーザがインターネット４０を介してキャリアサーバ装置２５に保存された通話データを読み出す場合でも、ＷＥＢ上でユーザが指定することにより通話データの任意の箇所を読み出すことができる。
【００３８】
また上記実施形態では、音声通話に電話回線である通信網を用いているが、インターネットのみを用いたＩＰ（Ｉｎｔｅｒｎｅｔ　Ｐｒｏｔｏｃｏｌ）電話の場合でも、キャリアサーバ装置２５に予め契約しているユーザの通話内容を通話データとして蓄積しておくことにより、インターネット４０を介して前記ユーザが任意に通話データを取り出すことが出来る。
【００３９】
さらに、予め契約しているユーザと通話相手以外の第３者が予めキャリア側と契約しておくことにより、キャリアサーバ装置２５に保存されている通話データを聞いたり、読み出したりすることができる。
【００４０】
またユーザがキャリアサーバ装置２５に保存してある通話データを日時等の条件で検索することもでき、１通話中の通話データから任意の開始時間と終了時間時間を指定してリクエストすることもできる。
【００４１】
さらに、キャリアサーバ装置２５は、指定された形式に通話データを変換して、リクエストのあった第１の通信端末１０または第２の通信端末３０に通話データを電子メール等を用いて送信するが、キャリアサーバ装置２５は指定された形式に通話データを変換して、キャリアサーバ装置２５の記憶機能２５ｃにアーカイブとして圧縮・暗号化して保存し、このアーカイブをユーザがＦＴＰ（Ｆｉｌｅ　Ｔｒａｎｓｆｅｒ　Ｐｒｏｔｏｃｏｌ）等を用いてダウンロードを行う方式でもよい。
【００４２】
また上記実施形態では、キャリアサーバ装置２５から通信端末へ送信する通話データは圧縮、暗号化されて送信されるが、必要に応じて非圧縮や非暗号化の通話データを送信してもよい。
【００４３】
さらに、上記実施形態では、キャリアサーバ装置２５は、第１の通信端末１０の通話開始によって通話の録音を開始し、第１の通信端末１０の通話終了によって録音を終了するが、録音の開始と終了のタイミングは任意に設定することができ、１通話中に複数回にわたって録音の開始や終了を行っても良い。
【００４４】
また上記実施形態では、保存された通話データを通信回線を介して聴取するか、またはインターネットを介して通話データを受信しているが、ＤＡＴやＣＤ−ＲＯＭ等の記録媒体に保存して予め契約してあるユーザに郵送等で送付するようにしてもよく、この発明の要旨を逸脱しない範囲で種々変形して実施できることは勿論である。
【００４５】
【発明の効果】
以上詳述したようにこの発明では、キャリアサーバ装置は、複数の通信端末間で通話期間中に前記通信回線を介して伝送される通話信号を記録し、通信端末からの再生要求に応じて、通話信号を選択的に読み出し、この読み出された通話信号を前記再生要求元の通信端末へ送信する。
【００４６】
したがってこの発明によれば、予めキャリアと契約しているユーザに対して、このユーザが現在使用している固定電話機や携帯電話機をそのまま用いてユーザに意識させることなく、固定電話機や携帯電話機のキャリア側で通話内容を録音して、録音された通話内容をユーザが聴取できる。
【図面の簡単な説明】
【図１】この発明の第１の実施形態に係わる音声授受システムの要部構成を示す機能ブロック図である。
【図２】この発明の第１の実施形態に係るキャリアサーバ装置の要部構成を示す機能ブロック図である。
【図３】この発明の第１の実施形態に係る通話の録音と読み出しの手順を示したフローチャートである。
【図４】この発明の第２の実施形態に係る音声授受システムの要部構成を示す機能ブロック図である。
【図５】この発明の第２の実施形態に係るキャリアサーバ装置の要部構成を示す機能ブロック図である。
【図６】この発明の第２の実施形態に係る通話の録音と読み出しの手順を示したフローチャートである。
【符号の説明】
１０…第１の通信端末
２０…通信網
２５…キャリアサーバ装置
２５ａ…制御機能
２５ｂ…信号送受信機能
２５ｃ…記憶機能
２５ｄ…インターネット接続機能
３０…第２の通信端末
４０…インターネット
【図１】
2004080263.tif 000003
【図２】
2004080263.tif 000004
【図３】
2004080263.tif 000005
【図４】
2004080263.tif 000006
【図５】
2004080263.tif 000007
【図６】
2004080263.tif 000008